【事件の表示】
　平成　３年特許願第３３２４４４号「電子制御式刺繍ミシン」拒絶査定に対する審判事件［平成　５年　６月　１日出願公開、特開平　５−１３７８６４］について、次のとおり審決する。
【結　論】
　本件審判の請求は、成り立たない。
【理　由】
１　本願発明
　本願は、平成３年１１月２２日の出願であって、その請求項１〜８に係る発明は、平成１３年６月１５日付け手続補正書により補正された明細書及び図面の記載からみて、その特許請求の範囲の請求項１〜８に記載されたとおりのものと認められるところ、請求項１に記載された発明（以下、「本願発明」という。）は、次のとおりである。
「上下駆動される縫い針とこの縫い針と協働する針糸捕捉器とを含む縫目形成手段を備え、刺繍模様の刺繍データを所定の順序で格納する刺繍データ記憶手段に記憶された情報に基づき動作して布に刺繍を施す電子制御式刺繍ミシンにおいて、
　前記刺繍データ記憶手段に格納された刺繍データの読み出しを現在位置から任意針数分前進させる指令を入力する為の操作手段と、
　前記操作手段は、異なる針数を夫々指定可能であることを明示した複数種類のキー又はスイッチを有することと、
　前記操作手段で指定された指定針数に基づいて、刺繍データ記憶手段からの刺繍データの読み出しを現在位置から指定針数分前進した位置に切換えて読み出すデータ読み出し手段と、
　を備えたことを特徴とする電子制御式刺繍ミシン。」
２　前置審査の拒絶理由
　前置審査において平成１３年４月３日付けで通知した拒絶の理由の概要は、本願発明は、本願の出願前に国内において頒布された、特開平１−２２３９９３号公報（以下「引用例」という。）に記載された発明に基いて、当業者が容易に発明をすることができたものであるから、特許法２９条２項の規定により特許を受けることができない、というものである。
　
３　引用例の記載事項
　引用例には、以下の記載がある。
　ａ「予め定められた刺しゅう模様の中から所望の模様を選択するステップと、選択した模様の縫い目データを記憶するステップと、スタートキーの操作により記憶されている縫い目データを予め定められた順序に従い順次読み取り、該縫い目データ位置に刺しゅう枠を駆動し固定位置で上下動する針と該針と協働する針糸捕捉手段とでなる縫成手段と協働して刺しゅう縫い目を形成するステップと、ミシンの停止状態における手動送り操作により停止位置の縫い目データと手動送りキーの送り方向の縫い目データとの少なくとも２つの縫い目データの間に新たな手動送り移動点のデータを演算するステップと、該新たな手動送り移動点に刺しゅう枠のみ移動させるステップと、所望の移動点において再始動指令に対し前記演算に用いた手動送り方向の縫い目データ位置に刺しゅう枠を移動させるステップとからなる自動刺しゅうミシンの手動送り制御方法。」（特許請求の範囲）
　ｂ「本発明は自動刺しゅうミシンの制御方法に関し、特には刺しゅう縫い途中の停止位置等から刺しゅう縫い目の所望の位置への移動を制御する制御方法に関する。」（１頁右下欄５行〜８行）
　ｃ「１３は上下動する針と該針と協働する針糸捕捉手段を駆動するミシンモータ（ＺＭ）であり、１４は刺しゅう枠をＸ方向に駆動するパルスモータ（ＸＭ）、１５は刺しゅう枠をＹ方向に駆動するパルスモータ（ＹＭ）、１６はその他の刺しゅう縫いを実行するために必要なアクチュエータ（ＡＣＴ）であり、夫々前記Ｉ／Ｏインターフェース４ａから４ｅを介して前記ＣＰＵ１と接続されている。１７は外部記憶装置であり、刺しゅうデータが記憶されており指令により情報の読出しと書き込みが行なわれる。つぎにフレームバック（ＦＢ）に関する制御方法について第２図及び第３図を参照し、前記操作キー（ＫＥＹ）６の各種キー（ＫＭ）１１の選択キーを操作して文字を選択した場合について説明する。該選択キーにより文字が選択されると前記外部記憶装置（ＥＭ）１７より刺しゅう用のパターンデータを読み出す。…………文字刺しゅうデータは圧縮された要素の形で作成されており、前記各種キー（ＫＭ）１１の中の大きさ設定キー等の操作による入力値と前記ＲＯＭ内に記憶されている演算のためのデータとにより一針毎の刺しゅう枠を駆動して刺しゅう模様を形成するための縫い目データが演算されて前記ＲＡＭ３に記憶される。…………スタートキー（ＳＴＡＲＴ）７を操作することにより……ミシンモータ（ＺＭ）１３を回転させる。該ミシンモータ（ＺＭ）１３の回転により……針位置検出センサーから検出信号を出力する。該検出信号と前記ＲＡＭ３に記憶されている縫い目データとにより、前記Ｘ方向パルスモータ（ＸＭ）１４及び前記Ｙ方向パルスモータ（ＹＭ）１５を駆動して刺しゅう枠を駆動する。第３図〔１〕（原文はマル１）の位置が縫いスタート位置であって、次に〔２〕（原文はマル２）……と縫い目が形成されて刺しゅう模様が完成する。」（３頁右上欄１５行〜右下欄２０行）
　ｄ「入力されたキーの種類がフレームバックキーである場合は、（ｆ）のステップでＲＡＭ３に一時記憶されている停止位置〔ｂ〕（原文はマルｂ、以下同様。）点すなわち縫い目データの座標（Ｘｂ，Ｙｂ）と手動送り側１針手前の〔ｂ〕−１の縫い目データの座標（Ｘｂ１，Ｙｂ１）の座標データとにより新たな移動点の座標データＦ１を演算すると共に前記ＲＡＭ２に記憶されている縫い目データの座標（Ｘｂ，Ｙｂ）を（Ｘｂ−１，Ｙｂ−１）へ更新する。該演算式は例えば次式で求める。…（１）　即ち第３図中新たな移動点の座標データＦ１は、〔ｂ〕点と〔ｂ〕−１点との中間に位置する。次に（ｇ）ステップで演算した移動点Ｆ１へ前記Ｘ方向パルスモータ（ＸＭ）１４及び前記Ｙ方向パルスモータ（ＹＭ）１５を駆動する。次の（ｈ）ステップで前記キー（ＫＥＹ）６の最新の入力を見る。即ち（ｉ）ステップでは前記フレームバックキー９が押されているか否かを判別する。前述の（ｃ）のステップの（ＫＥＹ）６入力時のフレームバックキーの操作が「一回押し」である場合、（ｉ）のステップでは前記フレームバックキー９は解放されているので（ｃ）のステップの入力側にリターンする。（ｃ）のステップで再び前記フレームバックキー９が操作されると再び（ｆ）のステップで次の移動点Ｆ２を演算する。該移動点Ｆ２を前記ＲＡＭｌｌに記憶されている縫い目〔ｂ〕−１の縫い目データの座標（Ｘｂ−１，Ｙｂ−１）と更に手動送り方向１針手前の〔ｂ〕−２の縫い目データの座標（Ｘｂ−２，Ｙｂ−２）とを前記ＲＡＭｌより読み出し前述の（１）式により演算して求めると共に前記ＲＡＭ２に記憶されている縫い目データ（Ｘｂ−１，Ｙｂ−１）を（Ｘｂ−２，Ｙｂ−２）に更新する。次に（ｇ）のステップで演算により求めた移動点Ｆ２へ……刺しゅう枠を移動させる。…………前述の（ｃ）ステップで操作されたフレームバックキーが前述の（ｈ）ステップでも操作されたままの場合、（ｆ）ステップへジャンプし最初の移動点のデータＦ１から連続してＦ２，Ｆ３…と前記フレームバックキー９が操作されている間は移動点を演算し、待機することなく連続して刺しゅう枠を移動させる。（ｉ）のステップでフレームバックキーが開放されていると判別され、（ｃ）ステップで前記スタートキー（ＳＴＡＲＴ）７が操作されると（ｋ）のステップでは前述のフレームバック操作による新たな移動点のデータの演算時に使用し、前記一時記憶手段ＲＡＭｌｌに記憶されている縫い目データ（Ｘｂ−Ｎ，Ｙｂ−Ｎ）を読みだして、該縫い目データの座標に……刺しゅう枠を移動させ、……刺しゅう縫いが再開させる。」（４頁左下欄１９行〜５頁右上欄２０行）
　ｅ「フレームフォワード処理については第４図の如くであり、前記フレームバックキー９の操作によるフレームバック処理と略同一のステップにより移動点を演算し移動させるものであり、その詳細については省略する。」（５頁左下欄７行〜１１行）
　ｆ「次に本発明の第２実施例について説明する。第２図において（ａ）のステップでのミシンモータ（ＺＭ）の停止から（ｅ）のステップのフレームバックキーか否かの判別までのステップは前述の第１の実施例と同一であり、（ｆ）ステップの移動点の演算部分が異なるのでその点について第５図を参照して説明する。即ち前述の第１の実施例では（ｆ）のステップで前記フレームバックキー９が押され続けた場合、停止位置の縫い目データ（ｂ）と手動送り方向１データ前の縫目データ（ｂ−１）との間に移動点を演算すると共に前記ＲＡＭｌｌに記憶されている縫い目データ（ｂ）を（ｂ−１）に更新することを連続するものを示したが、本実施例ではまず（ｆ１）ステップでフレームバックする針数Ｎを１と設定して、（ｆ２）ステップで計数カウンタ（ＣＯＵＮＴ）のカウンタ値を初期化する。次に（ｆ３）ステップでＮ針前の移動点を演算する。Ｎの初期設定値は１であるので停止位置の縫い目データの座標（Ｘｂ，Ｙｂ）と１針前の座標（Ｘｂ−１，Ｙｂ−１）とにより、新たな移動点のデータＦ１を前述の第１の実施例の（１）式により求めると共に前記ＲＡＭｌｌに記憶されている縫い目データ（Ｘｂ，Ｙｂ）を（Ｘｂ−１，Ｙｂ−１）に入れ替える。次に（ｇ）ステップで演算した移動点Ｆ１へ前記Ｘ方向パルスモータ（ＸＭ）１４及び前記Ｙ方向パルスモータ（ＹＭ）１５を駆動する。次の（ｈ）ステップで前記キー（ＫＥＹ）６の最新の入力を見る。そして（ｉ）ステップでは入力状態について前記フレームバックキー９が押されているか否かを判断する。押されていない場合は「１回押し」のため、（ｃ）のステップの入力側にリターンする。………「１回押し」が続けられる間においては前記一時記憶手段ＲＡＭｌｌの記憶縫い目データが新しくなるのみでカウンタ値は常に初期値のままで第１の実施例と同じである。次に（ｈ）及び（ｉ）のステップでフレームバックキーが押され続けた場合について説明する。前記停止位置ｂで前記フレームバックキー９が押されて押され続けた場合、（ｉ）ステップの時点で針数カウンタは「０」であり、Ｎは１、前記一時記憶手段ＲＡＭｌｌに記憶の縫い目データは停止位置より１針手前の（Ｘｂ−１，Ｙｂ−１）が記憶されている。（ｉ）のステップでフレームバックキーが押され続けていると判断した場合、（ｍ）のステップでカウンタ値に「１」を加える。次に（ｎ）のステップではカウンタ値が一定値以上か否かを判別する。このカウンタ一定値は予め定められる認意の数Ｋであって、例としてｋが２０に設定した場合について説明する。カウンタ値がｋより小の時は（ｆ３）の入力側にリターンして、（ｆ３）のステップで前記ＲＡＭｌから前記一時記憶手段ＲＡＭｌｌに記憶の（ｂ−１）の縫い目データ（Ｘｂ−１，Ｙｂ−１）より１針前（ｂ−２）の縫い目データ（Ｘｂ−２，Ｙｂ−２）を読み出して前記一時記憶手段ＲＡＭｌｌに記憶すると共に、新たな移動点Ｆ２を演算式（１）により演算する。次に（ｇ）のステップで演算した移動点へ刺しゅう枠を移動させ、（ｈ），（ｉ）のステップで前記フレームバックキー９が押され続けられていると、（ｍ）のステップでカウンタ値に１を加える。同様にして（ｎ）のステップでカウンタ値が一定値ｋ以上となると、（ｐ）のステップによりフレームバックする間隙（Ｎ）をＮ２＝Ｎ１+４８…（２）により更新する。次に前述の（ｆ２）ステップの入力側にリターンして前記針数カウンタのカウンタ値を初期化して０とする。次に（ｆ３）のステップで前記一時記憶手段に記憶されている縫い目データ（Ｘｂ−２０，Ｙｂ−２０）のＮ２針前の縫い目データ（Ｘｂ−６９，Ｙｂ−６９）とＮ２+１針前の縫い目データ（Ｘｂ−７０，Ｙｂ−７０）を前記ＲＡＭｌから読み出して前記一時記憶手段ＲＡＭｌの記憶内容をＮ２+１針前の縫い目データ（Ｘｂ−７０，Ｙｂ−７０）に更新すると共に縫い目データにより移動点Ｆ７０を演算する。次に（ｇ）ステップでは演算した移動点Ｆ７０へ……前記刺しゅう枠を移動する。更に前記フレームバックキー９が押され続けていると前記カウンタのカウンタ値に「１」を加え（ｍステップ）、カウンタ値がｋ未満の場合は前述の（ｆ３）のステップの入力側にリターンして前記一時記憶手段ＲＡＭｌｌに記憶されている縫い目データ（Ｘｂ−７０，Ｙｂ−７０）のＮ２針前の縫い目データ（Ｘｂ−１１９，Ｙｂ−１１９）とＮ２+１針前の縫い目データ（Ｘｂ−１２０，Ｙｂ−１２０）を読み出して前記一時記憶手段ＲＡＭｌｌの記憶内容をＮ２+１針前の縫い目データ（Ｘｂ−１２０，Ｙｂ−１２０）に更新すると共に縫い目データにより復帰座標点Ｆ１２０（停止位置より１２０針前の移動点）を演算し、（ｇ）のステップで前記刺しゅう枠を移動させる。…………以上の如く本実施例においては、手動送り（フレームバック）が連続する如く操作された場合、全てのバックを１針毎に作成するのではなく、所定の数以上の送りについてはバックする針数を大きくし、かつバックする針位置とその一針送り方向の針位置との間の移動点を演算し移動させることにより長い距離の移動をすみやかに行なうものである。なお本実施例においてはフレームバックの間隔を（Ｐ）のステップでＮ１＝１に対しＮ２＝Ｎ１+４８と１段階変更させて対応するものを示したが、第６図に示す如く間隔を多段階に変更するものであっても良い。」（５頁左下欄１２行〜７頁左上欄１３行）
　以上の記載及び第１図〜第５図によれば、引用例には、
「上下駆動される針と該針と協働する針糸捕捉手段とを含む縫成手段を備え、刺しゅう模様の縫い目データを所定の順序で記憶する外部記憶装置及びＲＡＭに記憶されたデータに基づき動作して、布に刺しゅうを施す自動刺しゅうミシンにおいて、
　前記ＲＡＭに記憶された縫い目データの読み出しを現在位置から任意針数分前進させる指令を入力する為のフレームフォワードキーと、
　前記フレームフォワードキーは、操作態様により異なる針数を指定可能な１つのキーであることと、
　前記フレームフォワードキーで指定された指定針数に基づいて、ＲＡＭからの縫い目データの読み出しを現在位置から指定針数分前進した位置に切換えて読み出すデータ読み出し手段と、
　を備えた自動刺しゅうミシン」
が記載されているものと認められる。
　
４　対比・判断
　本願発明と引用例記載の発明とを対比すると、引用例記載の発明の「針」は、本願発明の「縫い針」に相当し、以下同様に、「針糸捕捉手段」は「針糸捕捉器」に相当し、「縫成手段」は「縫目形成手段」に相当し、「縫い目データ」は「刺繍データ」に相当し、「記憶する」は「格納する」に相当し、「外部記憶装置及びＲＡＭ」は「刺繍データ記憶手段」に相当し、「データ」は「情報」に相当し、「フレームフォワードキー」は「操作手段」に相当し、「自動刺しゅうミシン」は「電子制御式刺繍ミシン」に相当するから、両者は、
「上下駆動される縫い針とこの縫い針と協働する針糸捕捉器とを含む縫目形成手段を備え、刺繍模様の刺繍データを所定の順序で格納する刺繍データ記憶手段に記憶された情報に基づき動作して布に刺繍を施す電子制御式刺繍ミシンにおいて、
　前記刺繍データ記憶手段に格納された刺繍データの読み出しを現在位置から任意針数分前進させる指令を入力する為の操作手段と、
　前記操作手段は、異なる針数を指定可能であるキーを有することと、
　前記操作手段で指定された指定針数に基づいて、刺繍データ記憶手段からの刺繍データの読み出しを現在位置から指定針数分前進した位置に切換えて読み出すデータ読み出し手段と、
　を備えた電子制御式刺繍ミシン。」
である点で一致し、以下の点で相違する。
　相違点
　操作手段が、本願発明では、異なる針数を夫々指定可能であることを明示した複数種類のキーを有するのに対して、引用例記載の発明では、操作態様により異なる針数を指定可能な１つのキーである。
　
　そこで、上記相違点について検討する。
　ミシンの技術分野において、例えばテンキーのような、異なる数を指定可能であることを明示した複数種類のキーを用いて、数を入力することは、本願の出願前に周知の技術である（例えば、特開昭６２−２７９９４号公報参照。）から、引用例記載の発明の操作手段に、ミシンの技術分野における上記周知技術を適用し、本願発明のように、異なる針数を夫々指定可能であることを明示した複数種類のキーを有する構成とすることは、当業者が容易になし得たことである。
　
５　むすび
　したがって、本願発明は、引用例に記載された発明および周知の技術に基いて、当業者が容易に発明をすることができたものであるから、特許法２９条２項の規定により特許を受けることができない。
　以上のとおりであるから、本願は、他の発明について検討するまでもなく、拒絶すべきものである。
　よって、結論のとおり審決する。